(57)【要約】【課題】側面に目地材が設けられた床仕上パネルにおいて、目地材を規定高さに配置する。【解決手段】躯体床面１上に施工される床仕上パネル２は、下地板３と、該下地板３上に貼り付けられた石質板４と、石質板４の隣接２辺の側面に接着により取り付けられた目地材５とを備えている。目地材５の下端は床仕上パネル２の雄実３ａの上面に当接している。石質板４は床仕上パネル２の側面の上部よりも張り出している。床仕上パネル２，２の雄実３ａと雌実３ｂとを係合させつつ、石質板４，４間で目地材５を挟圧する。【選択図】図１
2011208430.tif 000002
【特許請求の範囲】
【請求項１】
石質板を下地板に取り付けてなり、該石質板の側面に目地材が設けられている床仕上パネルにおいて、
該下地板の側面から雄実が突設されており、前記目地材の下端が該雄実の上面に当接していることを特徴とする床仕上パネル。
【請求項２】
請求項１において、前記石質板が下地板の上面の端縁から張り出しており、前記目地材がこの張り出した石質板側面に付着されていることを特徴とする床仕上パネル。
【請求項３】
請求項１又は２において、前記目地材の下部のうち少なくとも外方向きの側面が目地材上部の側面よりも下地板側に後退していることを特徴とする床仕上パネル。
【請求項４】
石質板を下地板に取り付けてなり、該石質板の側面に目地材が設けられている床仕上パネルにおいて、
該目地材に突設された凸部が石質板下縁に係合していることを特徴とする床仕上パネル。
【発明の詳細な説明】
【技術分野】
【０００１】
本発明は、タイル、石板等の石質板を下地板に取り付けてなる床仕上パネルに係り、特に石質板の側面に目地材を設けた床仕上パネルに関する。
【背景技術】
【０００２】
タイル、天然石板、人工石板などの石質板を下地板に接着剤等によって取り付けた床仕上パネルが特開平３−２７５３４３に記載されている。なお、同号公報ではこの床仕上パネルを石質複合板と称している。
【０００３】
この特開平３−２７５３４３では、下地板同士を突き合わせると石質板同士の間に空の目地間隙が生じるので、下地板が見えてしまい、美観に劣る。また、目地間隙にゴミが溜り易い。
【０００４】
実公昭５２−３０１０５には、複数枚のタイルを整列状態でベニヤ板等に貼着してなるタイルパネルにおいて、該タイルパネルの側面にジョイント目地部を設けることが記載されている。
【先行技術文献】
【特許文献】
【０００５】
【特許文献１】特開平３−２７５３４３
【特許文献２】実公昭５２−３０１０５
【発明の概要】
【発明が解決しようとする課題】
【０００６】
床仕上パネルの側面に目地材を取り付ける場合、目地材の側面に粘着剤や接着剤によって目地材を取り付けることになるが、この取り付けに際して目地材が床仕上パネルの側面の規定高さに正確且つ平滑に付着させることが容易ではない。目地材が規定高さよりも高いと、床仕上パネルの施工後に目地材が目立ち、美観が損われる。目地材が低過ぎると、目地が深くなりすぎ、美観が悪くなったり、目地部にゴミが溜り易くなったりする。
【０００７】
特に、目地材を施工現場にて床仕上パネルの側面に貼り付ける場合には、このような問題が生じ易い。
【０００８】
本発明は、上記従来の問題点を解決し、目地材が床仕上パネル側面の規定高さに仕上がりよく設けられる床仕上パネルを提供することを目的とする。
【課題を解決するための手段】
【０００９】
本発明（請求項１）の床仕上パネルは、石質板を下地板に取り付けてなり、該石質板の側面に目地材が設けられている床仕上パネルにおいて、該下地板の側面から雄実が突設されており、前記目地材の下端が該雄実の上面に当接していることを特徴とするものである。
【００１０】
請求項２の床仕上パネルは、請求項１において、前記石質板が下地板の上面の端縁から張り出しており、前記目地材がこの張り出した石質板側面に付着されていることを特徴とするものである。
【００１１】
請求項３の床仕上パネルは、請求項１又は２において、前記目地材の下部のうち少なくとも外方向きの側面が目地材上部の側面よりも下地板側に後退していることを特徴とするものである。
【００１２】
請求項４の床仕上パネルは、石質板を下地板に取り付けてなり、該石質板の側面に目地材が設けられている床仕上パネルにおいて、該目地材に突設された凸部が石質板下縁に係合していることを特徴とするものである。
【発明の効果】
【００１３】
請求項１の床仕上パネルでは、目地材の下端が雄実の上面に当接しているので、目地材の上下方向高さが一義的に定まり、目地材が波打つことなく平滑に、且つ規定高さに配置される。また、施工後に目地材が沈むことも防止される。
【００１４】
請求項２の床仕上パネルでは、目地材が下地板の側面上部と干渉することがない。
【００１５】
請求項３の床仕上パネルでは、目地材が隣接配置される床仕上パネルの下地板上部側面と干渉することが防止される。
【００１６】
請求項４の床仕上パネルでは、目地材の凸部が石質板の下縁に係合するので、目地材の高さが一義的に定まり、目地材が波打つことなく平滑に、且つ規定高さに配置される。また、パネル施工後、目地材が物理的に勘合するため、より抜けにくくなる。
【図面の簡単な説明】
【００１７】
【図１】実施の形態に係る床仕上パネルを示す断面図である。
【図２】実施の形態に係る床仕上パネルを示す断面図である。
【図３】実施の形態に係る床仕上パネルを示す断面図である。
【図４】実施の形態に係る床仕上パネルを示す断面図である。
【図５】実施の形態に係る床仕上パネルを示す断面図である。
【図６】実施の形態に係る床仕上パネルを示す断面図である。
【発明を実施するための形態】
【００１８】
以下、図面を参照して実施の形態について説明する。
【００１９】
第１図は実施の形態に係る床仕上パネルを示す断面図であり、（ａ）は隣接配置される床仕上パネルの端部の縦断面図、（ｂ）は施工後の断面図、（ｃ）図は目地材の拡大断面図である。第２図〜第６図はそれぞれ別の実施の形態を示す断面図である。
【００２０】
［第１図の実施の形態］
第１図（ａ），（ｂ）の通り、躯体床面１上に施工される床仕上パネル２は、下地板３と、該下地板３上に貼り付けられた石質板４と、石質板４の隣接２辺の側面に取り付けられた目地材５を備えている。
【００２１】
躯体床面１は、根太、合板、コンクリートなどよりなる。下地板３としては、合板、珪酸カルシウム板、スラグ石膏板、スレートボード、木質系繊維板、パーティクルボードなどよりなるものが用いられる。下地板３の厚さは５〜１５ｍｍ程度が好適である。
【００２２】
この実施の形態では、下地板３の隣接する２辺（第１及び第２の辺）の側面３ｃから雄実３ａが突設され、残りの２辺（第３及び第４の辺）の側面３ｇに雌実３ｂが凹設されている。この実施の形態では、石質板４の側面４ａは下地板３の第１及び第２の辺の上部の側面３ｄから所定長さ（例えば０．５〜２ｍｍ程度）張り出している。そのため、目地材５が該上部側面３ｄと干渉しない。
【００２３】
なお、実部は図示以外の形状であってもよい。例えば、雄実３ａ及び雌実３ｂは、下地板３の厚み方向の途中部分に設けられているが、下部に設けられてもよい。
【００２４】
石質板４としては、陶磁器製タイルや、天然石又は人工石よりなる石板が好適である。石質板４の厚さは２〜１０ｍｍ程度が好適である。
【００２５】
なお、石質板４としてタイルを用いる場合、下地板３とタイルの寸法の一例を挙げると、次の通りである。
（１）  ３００×３００ｍｍの下地板に約３００×３００ｍｍのタイルを張る。
（２）  ３００×６００ｍｍの下地板に約３００×３００ｍｍのタイルを２枚又は約３００×６００ｍｍのタイルを１枚張る。
（３）  ３００×１８００ｍｍの下地板に約３００×３００ｍｍのタイルを６枚又は約３００×６００ｍｍのタイルを３枚張る。
【００２６】
ただし、上記（１）〜（３）の寸法はあくまでも一例であり、本発明を何ら限定するものではない。
【００２７】
目地材５としては、発泡ゴム（例えば発泡ＥＰＤＭ、発泡ＮＲ、発泡ＣＲ、発泡ＮＢＲ、発泡シリコーンゴム）や、弾性樹脂例えば発泡合成樹脂（例えば発泡ポリエチレン、発泡ポリウレタン、発泡ポリ塩化ビニル）、ホットメルト（フォームメルトを含む）などの軟質目地材や、ＰＥＴ、塩化ビニル、アクリル樹脂などの硬質プラスチック、ゴムソリッド、低発泡ゴム、低発泡合成樹脂、ホットメルト（フォームメルトを含む）、ステンレス、アルミ等の金属系などよりなる硬質目地材が好適である。
【００２８】
ただし、目地を挟んで対峙する双方の石質板４，４の側面４ａ，４ｂに目地幅を一定に保てるように、少なくとも２０Ｎ／ｃｍ２程度の硬質目地が好ましい。
【００２９】
目地材５の下端は、下地板３の雄実３ａの上面に当接している。目地材５は、石質板４の第１及び第２の辺に沿う２つの側面４ａ，４ａの全長にわたって設けられている。
【００３０】
この実施の形態では、目地材５の石質板側面４ａ側の側面は、該目地材５の上端から下端まで連続した平面となっているが、前記の通り下地板３の上部側面３ｄが石質板側面４ａよりも後退しているので、目地材５と側面３ｄとが干渉しない。目地材５のこれと反対側の外向きの側面にあっては、目地材下部５ｂの側面が目地材上部５ａの側面よりも石質板４側（下地板３の上部側面３ｄ側）に後退している。図示の目地材５の場合、上部の幅Ｗ１は１〜５ｍｍ程度が好適であり、下部の幅Ｗ２とＷ１との差Ｗ１−Ｗ２は０．５ｍｍ以上が好ましい。
【００３１】
なお、目地材下部５ｂの高さは、下地板３の雌実３ｂよりも上側の側面３ｆの高さと同一かそれよりも若干大きいものとなっている。このため、床仕上パネル２，２同士を突き合わせて施工した際に目地材５が側面３ｆと干渉することがない。
【００３２】
目地材５は、その上面が石質板４の上面よりも若干低くなるように設けられており、床仕上パネル２，２を突き合わせて施工したときに目地材５が目地間隙から上方へはみ出すことを防止している。
【００３３】
図中の符号３ｃは雄実３ａの下側の下地板側面を示す。３ｆ，３ｇは雌実３ｂの上側及び下側の下地板側面を示す。この実施の形態では、下地板側面３ｆと、その上方の石質板側面４ｂとは面一であるが、側面３ｆが側面４ｂよりも後退していてもよい。
【００３４】
各床仕上パネル２を躯体床面１上に施工するには、躯体床面１上に複数枚の床仕上パネル２を各々の下地板３，３間に間隙があくように載置する。
【００３５】
次いで、床仕上パネル２を押して移動させ、床仕上パネル２，２の雄実３ａと雌実３ｂとを係合させつつ、下地板３，３同士をさらに接近させる。床仕上パネル２の躯体への固定は、基本的に接着剤で行う。釘、ビスをその際の仮固定に使用してもよい。
【００３６】
床仕上パネル２，２同士を突き合わせた状態では、それらの間の目地間隙に目地材５が挟圧された状態で配置されており、下地板３は視認されず、美観が良い。また、目地幅の調整が容易になり、施工性が向上すると共に、容易に美しい目地の仕上がりが得られる。
【００３７】
この実施の形態では、目地材５が規定高さに配置されるので、美観が良い。また、目地材５の全体が雄実３ａによって下側から支えられることになり、施工後に目地材５が上から強く押されても沈むことがない。
【００３８】
［第２図の実施の形態］
第２図の床仕上パネル２Ａでは、目地材５Ａは長方形断面形状であり、上端から下端まで均等な幅を有している。この目地材５Ａは形状がシンプルであり、安価である。また、石質板４の側面に取り付けるときに向きを考慮しなくてよいので、取り付け作業が容易である。
【００３９】
第２図のその他の構成は第１図と同一である。
【００４０】
［第３図の実施の形態］
第３図の床仕上パネル２Ｂでは、目地材５Ｂとして、下部５ｃが下地板側の側面及び外向きの側面のいずれにおいても上部５ａの側面から後退した幅小のものとなっている。その他の構成は第１図と同一である。この目地材５Ｂも、石質板４の側面に取り付けるときに向きを考慮しなくてよいので、取り付け作業が容易である。さらに、下地板の上部３ｄ，３ｆ間の長さと、石質板の長さとが同一となるため石質板の取り付けが容易となり、且つ図１と同様の機能が得られる。
【００４１】
［第４図の実施の形態］
第４図の床仕上パネル２Ｃでは、目地材５Ｃの下端から石質板４側に凸部５ｄが突設され、この凸部５ｄが石質板４の下端縁に係合している。これにより、目地材５ｃが規定高さに配置され、且つ、目地材５Ｃに上向きの引張力が働いた場合にも凸部５ｄが引っかかり外れることがない。その他の構成は第１図と同一である。
【００４２】
［第５図の実施の形態］
第５図の床仕上パネル２Ｄでは、下地板３Ｄの上面のうち第１及び第２の辺に沿う部分に低段部３ｈが設けられており、石質板４の底面との間に隙間が形成されるようになっている。目地材５Ｄの本体部５ｆの下端からは、この隙間に入り込むように凸部５ｅが突設されている。この凸部５ｅが石質板４の下端縁に係合することにより、目地材５Ｄが規定高さに配置される。
【００４３】
この床仕上パネル２Ｄは、第１図の場合と同様に第５図（ａ），（ｂ）の手順にて施工され、本体部５ｆが石質板４，４間で挟圧される。
【００４４】
なお、この床仕上パネル２Ｄでは、下地板３Ｄの第１及び第２の辺において石質板４の側面４ａが下地板３Ｄの側面３ｄよりも後退している。目地材５Ｄの下部かつ凸部５ｅと反対側には切欠状の段部５ｇが設けられている。段部５ｇのレベルは、隣接配置される床仕上パネル２Ｄの下地板３Ｄの側面３ｆ側の上面と同レベルか、それよりも若干上位となっている。そのため、第５図（ｂ）のように床仕上パネル２Ｄ，２Ｄを突き合わせるに際して、本体部５ｆが隣接する床仕上パネル２Ｄの下地板側面３ｆと干渉しない。
【００４５】
［第６図の実施の形態］
第６図の床仕上パネル２Ｅでは、下地板３Ｅの第３及び第４の辺部に沿って低段部３ｉが設けられ、この低段部３ｉと石質板４の底面との間に隙間があいている。
【００４６】
この実施の形態では、第５図で用いたものと同型の目地材５Ｄが石質板４の第３及び第４の辺の側面４ｂに取り付けられ、その凸部５ｅが該低段部３ｉに差し込まれ、石質板４の下端縁に係合している。これにより、目地材５Ｄが規定高さに配置されている。なお、石質板側面４ａと下地板３Ｅの上部側面３ｄとは面一状となっているが、これに限定されない。その他の構成は第５図と同様である。
【００４７】
上記実施の形態はいずれも本発明の一例であり、本発明は図示以外の形態とされてもよい。
【００４８】
目地材５，５Ａ〜５Ｄは予め床仕上パネル製造工場で石質板４に付着させておいてもよく、施工現場で石質板４に付着させてもよい。
【符号の説明】
【００４９】
１  躯体床面
２，２Ａ〜２Ｅ  床仕上パネル
３  下地板
４  石質板
５，５Ａ〜５Ｄ  目地材
【図１】
2011208430.tif 000003
【図２】
2011208430.tif 000004
【図３】
2011208430.tif 000005
【図４】
2011208430.tif 000006
【図５】
2011208430.tif 000007
【図６】
2011208430.tif 000008